(57)【特許請求の範囲】
【請求項１】
換気機能を果たす箱形の本体の外殻が板金製のケーシングにより構成され、そのケーシングの吸込側となる開口部の口縁部に形成された外向きに張出す取付フランジの背面を取付面として建物の天井構造に当接させてネジ付けして取付ける天井埋込み形換気装置であって、その取付フランジの前記取付面とは反対側の面に張出し端縁の縁曲げ加工による端部処理構造を施した天井埋込み形換気装置。
【請求項２】
端部処理構造を端縁の曲げ返しによる密着した二重構造とした請求項１に記載の天井埋込み形換気装置。
【請求項３】
端部処理構造をカーリングによる曲げ構造とした請求項１に記載の天井埋込み形換気装置。
【請求項４】
端部処理構造の長手方向の両端縁を鋭角の斜めの斜縁に構成した請求項２に記載の天井埋込み形換気装置。
【請求項５】
取付フランジの端部処理構造の幅寸法を３ｍｍ程度に設定した請求項１〜請求項４までのいずれかに記載の天井埋込み形換気装置。
【発明の詳細な説明】
【０００１】
【発明の属する技術分野】
本発明は、建物の天井構造に取付ける天井埋込み形換気装置に関するものである。
【０００２】
【従来の技術】
建物の天井構造に取付けられる天井埋込み形換気装置の多くは、一面の開放した換気機能を果たす六面体の箱形をなす本体と、天井面に沿って室内側に装着される化粧グリルとから構成されている。本体はその外殻が板金製のケーシングで構成され、ケーシングの開口部の口縁には外方へ張出す取付フランジが四方に設けらている。四方に張出す取付フランジ同士の間にできる四隅部の隙間は、略Ｌ字状に形成したコーナー止め板で塞がれている。取付フランジには取付孔が開けられていて、天井構造の野縁に取付フランジの背面を当て沿わし、取付孔から野縁に取付ネジをねじ込むことにより天井に埋込んだ状態に本体が取付けられ、本体の開口部を被覆する形態に化粧グリルが天井面に沿って装着される。
【０００３】
取付フランジは打抜きにより形成されるため、周辺部は鋭利な状態になっており、取付けに際し作業者に怪我を負わしたりすることもあるため、特開平８―２７１００５号公報に示されているように取付フランジの端縁にカール部を形成しているものもある。上記公報に示された天井埋込み形換気装置は、図７に示すように取付フランジ２０間に設けられる隙間を塞ぐコーナー止め板２１の厚みで、取付フランジ２０の取付面２２と野縁との間に隙間ができるため、取付面２２側にカール部２３を設け怪我の防止と取付性の改善とが図られている。取付フランジ２０の長手方向の端縁はカール部２３によって怪我の防止が図られるが、両端は鋭利でカール部２３の形成により剛性も高くなっており、この部分よる怪我の問題が残るため、コーナー止め板２１で取付フランジ２０の角部分に手が当らないように工夫されている。
【０００４】
【発明が解決しようとする課題】
上記した従来の天井埋込み形換気装置においては、取付面２２にカール部２３を設けているため、コーナー止め板２１にもカール部２３と同じ高さとなる突出部を形成しなくてはならず、取付フランジ２０の両端に手が触れないようにする構成も必要なため、コーナー止め板２１の構成が複雑になり、コストが高くつくといった問題点がある。
【０００５】
また、取付フランジ２０のネジ締めにおいて、締付けトルクが強いと、図８に示すように取付フランジ２０の平面部が野縁に変形して当り、取付フランジ２０のカール部２３側が室内側に反り返り、天井板の施工の妨げになってしまうような事態も起きうる。
【０００６】
本発明は、係る従来の問題点を解決するためになされたものであって、その課題とするところは、天井埋込み形換気装置に対する怪我防止対策を取付性の向上とともに講じることであり、コストの低減を推進することである。
【０００７】
【課題を解決するための手段】
前記課題を達成するために請求項1の発明は、換気機能を果たす箱形の本体の外殻が板金製のケーシングにより構成され、ケーシングの吸込側となる開口部の口縁部に形成された外向きに張出す取付フランジの背面を取付面として建物の天井構造に当接させてネジ付けして取付ける天井埋込み形換気装置について、その取付フランジの取付面とは反対側の面に張出し端縁の縁曲げ加工による端部処理構造を施す手段を採用する。
【０００８】
前記課題を達成するために請求項２の発明は、請求項１に係る前記手段における端部処理構造を、端縁の曲げ返しによる密着した二重構造とする手段を採用する。
【０００９】
前記課題を達成するために請求項３の発明は、請求項１に係る前記手段における端部処理構造を、カーリングによる曲げ構造とする手段を採用する。
【００１０】
前記課題を達成するために請求項４の発明は、請求項２に係る前記手段における端部処理構造の長手方向の両端縁を鋭角の斜めの斜縁に構成する手段を採用する。
【００１１】
前記課題を達成するために請求項５の発明は、請求項１〜請求項４までのいずれかに係る前記手段における取付フランジの端部処理構造の幅寸法を３ｍｍ程度に設定する手段を採用する。
【００１２】
【発明の実施の形態】
図１〜図６によって示す本実施の形態は、建物の天井構造に取付ける天井埋込み形換気装置に関するものである。この換気装置は、換気機能を果たし天井裏の空間に埋設される箱形の本体１と、天井面に沿って本体１に装着される化粧グリル２とから構成されている。本体１はその外殻が板金製のケーシング３により図１に示すように一面の開放した六面体の箱形に構成され、換気機能の主体である送風機が組込まれている。ケーシング３の開放した一面である開口部４は、室内の空気を吸込む実質的な吸込口であり、組込まれている送風機の吸込口５が臨んでいる。送風機の吐出口は、ケーシングの一側に開設された吹出口６に臨んでいて、吸込んだ室内の空気は吹出口６から、この吹出口６に装着されるダクト接続部材７を介して接続されるダクトを経て室外に吹出される（図５及び図６参照）。
【００１３】
ケーシング３の開口部４の口縁部には、外向きに四方に張出す取付フランジ８が打抜きにより形成され、本体１はこの取付フランジ８の背面を取付面９として建物の天井構造である野縁１０に取付面９を当接させ、野縁１０へのネジ締めによって取付けられる（図５及び図６参照）。ケーシング３の取付フランジ８の取付面９は凹凸構造の無い平面構成であり、野縁１０の取付面に馴染みよく密接させることができる。取付フランジ８の取付面９とは反対側の面（室内側になる面）には、張出し端縁の縁曲げ加工による端部処理構造１１が施され、取付フランジ８の剛性の向上と、取り扱い時の接触による損傷事故の回避とが図られている。
【００１４】
端部処理構造１１は、図２〜図４に示すように取付フランジ８の端縁の曲げ返しによる密着した二重構造１２もしくは、カーリングによる曲げ構造１３が採用されている。二重構造１２の端部処理構造１１によれば、加工が容易であるうえ、厚みが少なく天井材１４を取付フランジ８の室内側に図５に示すように重ね張りにしても天井材１４の平面性が損なわれず外観性の良い施工ができる。一方、カーリングによる曲げ構造１３の端部処理構造１１を採用したものでは、天井材１４を図６に示すように取付フランジ８の室内側に重ね張りにせず、取付フランジ８の端に天井材１４の端を胴付けにして張設する施工方法が有効であるが、曲げ構造１３の突出量をネジ締めした時のネジ頭の浮上がり分程度にすれば、天井材１４を取付フランジ８の室内側に重ね張りにしても天井材１４の平面性は損なわれず外観性の良い施工ができる。
【００１５】
いずれの端部処理構造１１においても、その長手方向の両端縁は鋭角の斜めの斜縁１５に構成されている。即ち、曲げ加工前の取付フランジ８の両端の角部分は、図２〜図４において鎖線で示すように短辺からＲ曲面と短辺に鈍角をなす斜面で長辺に連続する展開形状になっている。この構成により、取付フランジ８の両端には剛性が高い鋭利な部分はできず、取り扱い時におけるこの部分よる怪我の問題もなくなる。従って、取付フランジ８間にできる四箇所の隙間を塞ぐコーナー止め板１６は、怪我防止の構成を付加する必要はなく、単なる隙間を塞ぐ薄板による簡素な平板構成でよい。端部処理構造１１の幅寸法Ｄは、３ｍｍプラスマイナス１ｍｍ程に設定され、端部処理構造１１の内側の平面部分に対してネジ締めのための長孔状の取付孔１７が形成されている。端部処理構造１１の幅寸法Ｄが広いと取付孔１７の位置が内側に寄ってしまい、野縁１０の中央へのネジ締めが難しくなり、不安定な取付状態になりやすいが、幅寸法Ｄを３ｍｍ＋−１ｍｍ程にすることによりこれを解消することができる。
【００１６】
この天井埋込み形換気装置は、野縁１０に取付フランジ８の取付面９を当接させ取付孔１７からネジを野縁１０にネジ締めすることにより本体１が天井裏の空間に埋設状態に取付けられる。ダクト接続部材７には室外に通ずるダクトが接続され、本体１の開口部４を除き天井材１４が張設される。化粧グリル２は室内側から天井面に沿って弾性吊り具（図示しない）により本体１に装着され、本体１の開口部４及び天井材１４の開口部が化粧グリル２によって被覆される。
【００１７】
本体１の取付けに際し、取付フランジ８には端部処理構造１１が施されており、その両端も鋭利な角部が無いため、損傷事故を招くことは殆どない。取付フランジ８は取付面９が凹凸構造のない平面構成であるため、野縁１０に密着させることができ、ネジ締めによっても取付フランジ８が室内側に反り返ったりせず、しっかりと取付けることができる。従って、ネジの締めトルクを厳密に管理しなくてもよく、取付性は良好である。
【００１８】
【発明の効果】
請求項１の発明によれば、天井埋込み形換気装置に対して怪我防止対策を取付性の向上とともに講じることができる。
【００１９】
請求項２の発明によれば、請求項１に係る前記効果とともに天井材の平面性が維持でき外観性が向上する。
【００２０】
請求項３の発明によれば、天井埋込み形換気装置に対して怪我防止対策を取付性の向上とともに講じることができる。
【００２１】
請求項４の発明によれば、請求項２に係る前記効果とともに複雑な構成のコーナー止め板が不用になりコストを低減できる。
【００２２】
請求項５の発明によれば、請求項１〜請求項４までのいずれかに係る前記効果とともに本体を安定よくしっかりと取付けることができる。
【図面の簡単な説明】
【図１】  実施の形態の天井埋込み形換気装置の本体を示す斜視図である。
【図２】  実施の形態の天井埋込み形換気装置の取付フランジの端部処理構造を示す平面図である。
【図３】  実施の形態の天井埋込み形換気装置の取付フランジの他の端部処理構造を示す平面図である。
【図４】  実施の形態の天井埋込み形換気装置の取付フランジのさらに他の端部処理構造を示す平面図である。
【図５】  実施の形態の天井埋込み形換気装置の本体の取付形態を示す側面図である。
【図６】  実施の形態の天井埋込み形換気装置の本体の取付形態を示す側面図である。
【図７】  従来の天井埋込み形換気装置の本体を示す斜視図である。
【図８】  従来の換気装置の取付フランジの変形状態を示す説明図である。
【符号の説明】
１  本体、  ３  ケーシング、  ４  開口部、  ８  取付フランジ、  ９  取付面、  １１  端部処理構造、  １２  二重構造、  １３  曲げ構造、  １５  斜縁。
【図１】
0003799958.tif 000002
【図２】
0003799958.tif 000003
【図３】
0003799958.tif 000004
【図４】
0003799958.tif 000005
【図５】
0003799958.tif 000006
【図６】
0003799958.tif 000007
【図７】
0003799958.tif 000008
【図８】
0003799958.tif 000009